(57)【特許請求の範囲】
【請求項１】
プロジェクタ装置の筐体に装着されて使用されるランプボックスにおいて、
映像を拡大表示するための光を発生するランプと、
前記ランプに風を通すための通風口を有し、前記ランプを収納する箱と、
前記箱の面から離れないように取り付けられていて前記面に沿って摺動し、前記筐体に前記箱が装着されているときには前記通風口を開放しかつ、前記筐体から前記箱が取り外されているときには前記通風口を塞ぐシャッターと
を備えるランプボックス。
【請求項２】
前記箱は、該箱が前記筐体から取り外されているときに前記通風口を塞ぐ方向へと前記シャッターに勢いを付ける付勢手段をさらに有し、
前記シャッターは、前記箱が前記筐体に装着されているときに前記付勢手段の勢いに逆らって前記通風口を開放するように前記筐体に当接する当接部を有することを特徴とする、請求項１に記載のランプボックス。
【請求項３】
前記シャッターは、前記箱が前記筐体に装着されるときに前記筐体に前記当接部を当接することによって前記箱の装着方向に対してほぼ垂直な方向に摺動することを特徴とする、請求項２に記載のランプボックス。
【請求項４】
前記シャッターは、前記箱が前記筐体に装着されるときに前記筐体に前記当接部を当接することによって摺動しつつ円運動することを特徴とする、請求項２に記載のランプボックス。
【請求項５】
筐体と、
前記筐体に装着されて使用されるランプボックスと、
前記ランプボックスが前記筐体に装着されて使用されているときに前記筐体に固定されて前記ランプボックスを覆う意匠カバーとを備え、
前記ランプボックスは、
映像を拡大表示するための光を発生するランプと、
前記ランプに風を通すための通風口を有し、前記ランプを収納する箱と、
前記箱の面から離れないように取り付けられていて前記面に沿って摺動し、前記筐体に前記箱が装着されているときには前記通風口を開放しかつ、前記筐体から前記箱が取り外されているときには前記通風口を塞ぐシャッターとを備え、
前記意匠カバーは、前記シャッターの被当接部に当接して前記通風口の開放を維持するための当接部を有することを特徴とするプロジェクタ装置。
【請求項６】
前記箱は、該箱が前記筐体から取り外されている状態では前記通風口を塞ぐ方向へと前記シャッターに勢いを付ける付勢手段をさらに有し、
前記シャッターの前記被当接部は、前記意匠カバーが前記筐体に装着されているときに前記付勢手段の勢いに逆らって前記通風口を開放するように前記意匠カバーの前記当接部に当接されることを特徴とする、請求項５に記載のプロジェクタ装置。
【請求項７】
前記シャッターは、前記意匠カバーが前記筐体に装着されるときに前記意匠カバーの前記当接部に前記被当接部が当接されることによって前記箱の装着方向に対してほぼ垂直な方向に摺動することを特徴とする、請求項６に記載のプロジェクタ装置。
【請求項８】
前記シャッターは、前記意匠カバーが前記筐体に装着されるときに前記筐体に前記意匠カバーの前記当接部に前記被当接部が当接されることによって摺動しつつ円運動することを特徴とする、請求項６に記載のプロジェクタ装置。
【発明の詳細な説明】
【０００１】
【発明の属する技術分野】
この発明は、光源の光で映像を拡大投射するプロジェクタ装置およびプロジェクタ装置に装着されて光源の光を発生するランプボックスに関するものである。
【０００２】
【従来の技術】
従来のプロジェクタ装置の光源には、メタルハライドランプ等の放電ランプが用いられている。このランプは、消耗品であるためプロジェクタ装置を使用し続けていく間に交換する必要が生じる。このランプについては従来からも様々な工夫が施されており、例えば実開平３‐６２３８７号公報、実開平５‐３８６４５号公報および特開平８‐３１４０１１号公報などにその一部を見ることができる。
【０００３】
図１５は、例えば、実開平５−３８６４５号公報に示されている、従来のランプボックスを液晶プロジェクタから取り出す工程を示す工程図である。図１５に示すように、プロジェクタ装置１の筐体２００には、ランプボックス１００Ｘを収納するための収納部２２０が設けられている。プロジェクタ装置１が通常使用されるときには、筐体２００にランプボックス１００Ｘが装着され、筐体２００の収納部２２０は意匠カバー２１０で蓋をされている。ランプボックス１００Ｘを空冷するために、冷却ファン２７０がランプボックス１００Ｘと一緒に収納部２２０に格納されている。冷却ファン２７０から吹き出す風を外部に逃がすために、例えば意匠カバー２１０には排気口２１１が設けられている。
【０００４】
ランプボックス１００Ｘは、その交換のために、筐体２００から取り外すことができるように構成されている。ランプボックス１００Ｘを取り外すときには、図１５（ａ）に示すように、まず意匠カバー２１０を取り外す。次に、図１５（ｂ）に示すように、ランプボックス１００Ｘの取り出しの邪魔にならないように冷却ファン２７０を矢印２３０の向きに移動させて、ランプボックス１００Ｘを矢印２４０の向きに引き出す。新しいランプボックス１００Ｘの装着は上述の取り外しの手順とは逆の手順で行われる。
【０００５】
図１６はプロジェクタ装置の一構成概要を示す略断面図である。ランプボックス１００Ｘには、光源としてのメタルハライドランプ２とメタルハライドランプ２から発せられた光を集光するためのリフレクタ３とが収納されている。ランプボックス１００Ｘからでた光は、コールドミラー２５０で反射されてダイクロイックミラー２５１に導かれる。２つのダイクロイックミラー２５１を用いて、光源からでた光は、赤色、緑色および青色の光に分解される。分解された光は、対応する液晶パネル２５３を通過する。通過する際に３色の光は３枚の液晶パネル２５３からそれぞれに異なる映像情報が与えられる。液晶パネル２５３を通過した３色の光はダイクロイックミラー２５４によって合成される。合成された光は、投写レンズ２６０を通ってスクリーン（図示省略）に映像を拡大投射する。メタルハライドランプ２と投射レンズ２６０の間には、光路の変更のために全反射ミラー２５２，２５５なども設けられる。
ランプ点灯中には、メタルハライドランプ２を冷却するため、冷却ファン２７０が作動して風を発生している。この風は、メタルハライドランプ２とリフレク３の横を通ってこれらから熱を奪い、ランプボックス１００Ｘの通風口２６Ｘ（図１５（ｂ）参照）から冷却ファン２７０を経て排気口２１１よりプロジェクタ装置１の外に排出される。
【０００６】
【発明が解決しようとする課題】
従来のプロジェクタ装置の光源は上記のように内圧の高い放電ランプを含んで構成されるため、ランプボックスの取り外し作業はその取り扱いを熟知しているものに限られ、規定の取り扱いをしていれば技術的な問題は生じない。しかし、近年は高性能化のため、ランプの高輝度化が進み、ワット数も大きく、内圧も高まる傾向にある。万一規定外の取り扱いをしてランプが損傷するなどした場合、通風口から破片が飛散する可能性が生じる。
【０００７】
この発明は上記の問題点を解消するためになされたもので、ランプボックスを取り外してプロジェクタ装置の外に取り出しているときにランプが損傷してもランプの破片が通風口から飛散しないランプボックスを提供することを目的とする。また、このようなランプボックスの使用に適したプロジェクタ装置を提供することを目的とする。
【０００８】
【課題を解決するための手段】
第１の発明に係るランプボックスは、プロジェクタ装置の筐体に装着されて使用されるランプボックスであって、映像を拡大表示するための光を発生するランプと、前記ランプに風を通すための通風口を有し、前記ランプを収納する箱と、前記箱の面から離れないように取り付けられていて前記面に沿って摺動し、前記筐体に前記箱が装着されているときには前記通風口を開放しかつ、前記筐体から前記箱が取り外されているときには前記通風口を塞ぐシャッターとを備えて構成される。
【０００９】
第２の発明に係るランプボックスは、第１のランプボックスにおいて、前記箱は、該箱が前記筐体から取り外されているときに前記通風口を塞ぐ方向へと前記シャッターに勢いを付ける付勢手段をさらに有し、前記シャッターは、前記箱が前記筐体に装着されているときに前記付勢手段の勢いに逆らって前記通風口を開放するように前記筐体に当接する当接部を有することを特徴とする。
【００１０】
第３の発明に係るランプボックスは、第２のランプボックスにおいて、前記シャッターは、前記箱が前記筐体に装着されるときに前記筐体に前記当接部を当接することによって前記箱の装着方向に対してほぼ垂直な方向に摺動することを特徴とする。
【００１１】
第４の発明に係るランプボックスは、第２の発明のランプボックスにおいて、前記シャッターは、前記箱が前記筐体に装着されるときに前記筐体に前記当接部を当接することによって摺動しつつ円運動することを特徴とする。
【００１２】
第５の発明に係るプロジェクタ装置は、筐体と、前記筐体に装着されて使用されるランプボックスと、前記ランプボックスが前記筐体に装着されて使用されているときに前記筐体に固定されて前記ランプボックスを覆う意匠カバーとを備え、前記ランプボックスは、映像を拡大表示するための光を発生するランプと、前記ランプに風を通すための通風口を有し、前記ランプを収納する箱と、前記箱の面から離れないように取り付けられていて前記面に沿って摺動し、前記筐体に前記箱が装着されているときには前記通風口を開放しかつ、前記筐体から前記箱が取り外されているときには前記通風口を塞ぐシャッターとを備え、前記意匠カバーは、前記シャッターの被当接部に当接して前記通風口の開放を維持するための当接部を有することを特徴とする。
【００１３】
第６の発明に係るプロジェクタ装置は、第５の発明のプロジェクタ装置において、前記箱は、該箱が前記筐体から取り外されている状態では前記通風口を塞ぐ方向へと前記シャッターに勢いを付ける付勢手段をさらに有し、前記シャッターの前記被当接部は、前記意匠カバーが前記筐体に装着されているときに前記付勢手段の勢いに逆らって前記通風口を開放するように前記意匠カバーの前記当接部に当接されることを特徴とする。
【００１４】
第７の発明に係るプロジェクタ装置は、第６の発明のプロジェクタ装置において、前記シャッターは、前記意匠カバーが前記筐体に装着されるときに前記意匠カバーの前記当接部に前記被当接部が当接されることによって前記箱の装着方向に対してほぼ垂直な方向に摺動することを特徴とする。
【００１５】
第８の発明に係るプロジェクタ装置は、第６の発明のプロジェクタ装置において、前記シャッターは、前記意匠カバーが前記筐体に装着されるときに前記筐体に前記意匠カバーの前記当接部に前記被当接部が当接されることによって摺動しつつ円運動することを特徴とする。
【００１８】
【発明の実施の形態】
実施の形態１．
図１はこの発明の実施の形態１による液晶プロジェクタ装置のランプボックスの構成を示す立体分解図である。ランプボックス１００は、メタルハライドランプ２とリフレクタ３と箱２０とシャッター４０とそれらに付属する部品を備えて構成される。箱２０は、主に、内部に光源としてのメタルハライドランプ２とリフレクタ３を収納する容器２１、容器２１の上部開口の蓋をするトップカバー２２、メタルハライドランプ２から発せられた光をランプボックス１００の前面に放射するためのガラス２５で構成されている。箱２０はその左右側面に通風口２６を有しており、通風口２６は容器２１の側面の一部を横長の長方形に切り取って形成されている。また、箱２０の内部側面にはフック２８が突出している。このフック２８には、ばね２７の一端が引っかかる。ばね２７は、シャッター４０に対してＸ方向に勢いを付けるための付勢手段である。容器２１とトップカバー２２は、鋲２３で固着されて箱２０を形成する。トップカバー２２の上には、ハンドル２４が取り付けられている。ランプボックス１００を筐体２００から取り外すときは、ハンドル２４を持って引き抜く。
【００１９】
シャッター４０は箱２０の左右側面に取り付けられる。ピン４２は、シャッター４０の四隅に一つずつ設けられ、一つのシャッター４０に対して合計４つ設けられている。ピン４２の頭は、その胴体よりも太くなっている。ガイド穴２９の形状は幅の広い部分と幅の狭い部分を有する細長い形状をしている。ピン４２の頭は、ガイド穴２９の幅の広い部分を通過できるが、ガイド穴２９の幅の狭い部分では引っかかるようになっている。また、ピン４２の胴体はガイド穴２９の幅の狭い部分よりも細くなっている。ピン４２は、ガイド穴２９の幅の広い部分に頭を通してガイド穴２９にはめ込まれる。シャッター４０は、ピン４２がガイド穴２９に案内されることによってＸＹ方向に摺動できる。Ｙ方向にシャッター４０が摺動すると通風口２６が開放され、Ｘ方向にシャッター４０が摺動すると通風口２６がシャッター４０によって塞がれる。シャッター４０が通風口２６を塞いでいる状態のときには、ピン４２の頭がガイド穴２９の幅の狭いところに引っかかるため、シャッター４０は箱２０の側面から離れない。なお、ピン４２には、ばね２７の他端が引っかけられている。
また、シャッター４０には、ランプボックス１００が筐体２００に装着されたときに筐体２００に当接する当接部４１が設けられる。当接部４１が筐体２００に当接することによってシャッター４０が移動して通風口２６と開口部４３が重なり、通風口２６が開放される。ピン４２にばね２７が引っかけられていて、ばね２７はフック２８とピン４２の間に架張されて常に引き延ばされている状態になり、ばね２７はシャッター４０に対して通風口２６を塞ぐ方向に力を加えている。
【００２０】
図２は、図１に示すランプボックス１００と筐体２００と意匠カバー２１０の関係を示す部分切取斜視図である。ランプボックス１００は、筐体２００の収納部２２０に押し込まれる。ランプボックス１００の箱２０の後ろ側面にはプラグ５０が固定されている。プラグ５０が収納部２２０内のソケット２４０に挿入されることによってランプボックス１００の筐体２００への装着が完了する。プラグ５０はソケット２４０からランプボックス１００に供給する電力を受ける。収納部２２０の内側に張り出すように凸部２９０が設けられている。また、当接部４１はシャッター４０の左下隅に図面手前に向けて突出するように形成される。ランプボックス１００が装着された状態で、凸部２９０には、図１に示す当接部４１が当接し、そのため通風口２６が開放される。凸部２９０が当接部４１に当接してシャッター４０が摺動することによって発生する付勢力は、ソケット２４０にプラグ５０が結合する力よりも弱いため、ランプボックス１００は筐体２００に結合されている状態を保持する。ランプボックス１００が筐体２００に装着された後に、意匠カバー２１０は筐体２００に固定され、筐体２００と一体となってランプボックス１００を覆う。
【００２１】
図３は、検出スイッチ２８０とランプボックス１００の関係を示す断面詳細図である。検出スイッチ２８０の可動部２８１は、シャッター４０で通風口２６が蓋されている状態ではシャッター４０に押されて矢印２８３の向きとは反対側に倒れている。ランプボックス１００が筐体２００に装着されて通風口２６が開放されると、検出スイッチ２８０の可動部２８１は矢印２８３の方向に飛び出してオン状態となる。ソケット２４０にプラグ５０が接続されていない状態では、液晶プロジェクタ装置の電源の投入は許可されない。しかし、プラグ５０とソケット２４０が接続されている状態でも、故障等によってシャッター４０が閉じていることも考えられる。検出スイッチ２８０を設けることによって、通風口２６が開放されるまでは確実に電源が入らないプロジェクタ装置１を提供することができる。なお、凸部２９０は冷却ファン２７０に取り付けられているが、冷却ファン２７０の反対側にくる通風口２６の開閉を検知するために、収納部２２０の内壁に取り付けられてもかまわない。
【００２２】
次にシャッター４０の動作について図４に基づいて説明する。図４（ａ）に示すように、筐体２００にランプボックス１００が装着されていない状態ではシャッター４０に外力は作用せず、ばね２７によってシャッター４０がＹ方向へ付勢されているため、シャッター４０によって通風口２６は塞がれている。この状態で図１に示しているメタルハライドランプ２がランプボックス１００の中で損傷しても、メタルハライドランプ２の破片はシャッター４０で遮られ、メタルハライドランプ２の破片がランプボックス１００の通風口２６を通って外部へ飛散することはない。ランプボックス１００の内部からランプボックス１００の外部に向かう力がシャッター４０に加わっても、シャッター４０は箱２０の側面から離れないようにピン４２によって箱２０につなぎ止められる。箱２０の前面にはガラス２５がはめ込まれているため、箱２０の前面にメタルハライドランプ２の破片が飛散することもない。
【００２３】
ランプボックス１００の収納部２２０への装着が開始されると、図４（ｂ）に示すように、装着動作の途中で、ソケット２４０にシャッター４０の当接部４１が当接してシャッター４０はそれ以上Ｙ方向へは下がらなくなる。ランプボックス１００はＹ方向へ挿入されるので、シャッター４０はばね２７の付勢力に逆らってランプボックス１００に対して相対的にＸ方向に移動する。
【００２４】
このままさらに所定の位置までランプボックス１００の挿入が続くと、シャッター４０はランプボックス１００の側面に沿ってＸ方向への摺動を続け、通風口２６と開口部４３が重なり、また通風口２６がシャッター４０の外に完全にはみ出して通風口２６が開放されることとなる。図４（ｃ）の状態までランプボックス１００を挿入して意匠カバー２１０を筐体２００に固定する。意匠カバー２１０の固定は、凹部２０１に突起２１２をはめ込み、ビス２１３をねじ穴２０２にねじ込むことによって行う。
【００２５】
ランプボックス１００の取り外し動作は、図４に示す動作と全く逆の動作となる。意匠カバー２１０が筐体２００から取り外され、ランプボックス１００が収納部２２０から引き出される。シャッター４０はばね２７によって付勢されているので、ランプボックス１００が引き出されるのにつれてシャッター４０は通風口２６を塞ぎ始める。シャッター４０のピン４２がガイド穴２９の終端に達するまでに、当接部４１と凸部２９０が離間して、シャッター４０は完全に通風口２６を塞ぐ。シャッター４０が通風口２６を完全に塞いだ状態で、ランプボックス１００が収納部２２０から取り出される。
【００２６】
図４（ｃ）の状態では、ランプボックス１００が筐体２００に結合されているため、ランプボックス１００の中のメタルハライドランプ２が損傷する可能性は小さくなる。図４（ｃ）の状態に比べれば、図４（ａ）の状態では、ランプボックス１００が収納部２２０の側壁に激突してランプボックス１００内のメタルハライドランプ２に衝撃が伝わるなどしてメタルハライドランプ２が破損する可能性がある。また、図４（ｃ）の状態では通風口２６が開放されているが、ランプボックス１００は筐体２００と意匠カバー２１０に取り囲まれているため、メタルハライドランプ２の破損があったとしても筐体２００の外部にメタルハライドランプ２の破片が飛散する可能性は小さい。このように、シャッター４０が通風口２６を塞いでいる限り、ランプボックス１００の装着や取り外しの段階で通風口２６からメタルハライドランプ２の破片が飛散することは完全に防止される。このシャッター４０の開閉は、シャッター４０に設けた当接部４１と箱２０に設けたばね２７という簡単な構成によって確実に行われる。
【００２７】
図５は、通風口２６が開放されてメタルハライドランプ２が使用されている状態におけるメタルハライドランプ２の冷却状況を示す断面図である。映像を投射するためにメタルハライドランプ２が点灯すると、メタルハライドランプ２は熱を発生する。風４００は、図２に示す冷却ファン２７０によって発生され、一方の通風口２６から入ってメタルハライドランプ２とリフレクタ３の冷却を行い、他方の通風口２６からでて行くことができる。そのため、メタルハライドランプ２が点灯しているときには従来と同様に冷却ファン２７０によってメタルハライドランプ２の冷却を行うことができる。
【００２８】
実施の形態２．
図６はこの発明の実施の形態２による液晶プロジェクタ装置のランプボックスの一構成を示す斜視図である。実施の形態２のランプボックスと実施の形態１のランプボックスとの違いはシャッターの開閉方向にある。実施の形態１によるランプボックスでは図６のＸＹ方向にシャッターが摺動したのに対し、実施の形態２によるランプボックスでは図６のＰＱ方向にシャッターが摺動する。装着および取り外しの時にランプボックス１００はＸＹ方向に移動するため、図４に示す当接部４１が凸部２９０以外のところに引っかかると通風口２６が開放される可能性がある。装着や取り外しの時にランプボックスが移動する方向とシャッターの摺動方向をほぼ直交させることによってこのような可能性をさらに小さくすることができる。
【００２９】
図６に示すように、ランプボックス１００Ａの箱２０Ａは、縦長の長方形の通風口２６Ａを有している。シャッター４０Ａは箱２０Ａの左右側面（図６のランプボックス１００Ａの手前側と奥側）に設けられており、シャッター４０Ａの開口部４３Ａの形も通風口２６Ａと同じ縦長の長方形である。ランプボックス１００Ａの装着および取り外しの時にシャッター４０Ａが行う動作はＰＱ方向の摺動である。シャッター４０Ａについても実施の形態１のシャッター４０と同様に、シャッター４０Ａの四隅に設けられているピン４２Ａと、箱２０の一側面の四隅に設けられているガイド穴２９Ａとによって摺動だけに限定される。フック２８Ａは例えば箱２０Ａの底面に設けられ、ばね２７ＡはＰＱ方向に架張される。また、当接部４１Ａは、ＸＹ方向へのランプボックス１００Ａの動きをシャッター４０ＡのＰＱ方向への動力に変換するために、ＰＱ方向に対して斜めの案内を有している。
【００３０】
次にシャッター４０Ａの動作を図７にもとづいて説明する。ランプボックス１００Ａを筐体２００に装着するときには、図７（ａ）に示すように、ランプボックス１００ＡがＹ方向へ向かって収納部２２０に挿入される。このとき、シャッター４０Ａはばね２７ＡによってＱ方向に付勢されており、通風口２６Ａはシャッター４０Ａで塞がれている。この状態で図６に示しているメタルハライドランプ２がランプボックス１００Ａの中で損傷しても、メタルハライドランプ２の破片はシャッター４０Ａで遮られ、メタルハライドランプ２の破片がランプボックス１００Ａの通風口２６Ａを通って外部へ飛散することはない。ランプボックス１００Ａの内部からランプボックス１００Ａの外部に向かう力がシャッター４０Ａに加わっても、シャッター４０Ａは箱２０Ａの側面から離れないようにピン４２Ａによって箱２０Ａにつなぎ止められる。箱２０Ａの前面にはガラス２５がはめ込まれているため、箱２０Ａの前面にメタルハライドランプ２の破片が飛散することはない。このとき、筐体２００の側に突出している検出スイッチ２８０Ａの可動部２８１Ａには、何も接触しておらず、検出スイッチ２８０はオフ状態になっている。また、筐体２００から突出している凸部２９０Ａもランプボックス１００Ａには接触していない。
【００３１】
ランプボックス１００Ａの収納部２２０への装着が開始されると、この装着の動作の途中でシャッター４０Ａの当接部４１Ａが凸部２９０Ａに当接する。このまま、ランプボックス１００ＡがＹ方向へ押し下げられると、凸部２９０Ａは当接部４１Ａによってシャッター４０Ａに対して斜めに案内される。凸部２９０Ａとランプボックス１００Ａの位置関係がＸＹ方向の相対移動のみで変化することを想定する、そのような想定の下で、シャッター４０Ａは、図７（ｂ）に示すように、凸部２９０Ａに押されるためにばね２７Ａの付勢力に逆らって箱２０Ａに対してＰ方向に移動する。シャッター４０ＡがＰ方向に摺動するため、通風口２６Ａと開口部４３Ａとが重なって、通風口２６Ａの一部が開放されている。シャッター４０Ａの右下隅には、図面手前に向かって突出している凸部４５Ａが設けられている。図７（ｂ）に示す状態では、Ｐ方向に向かうシャッター４０Ａの摺動距離が小さいため、凸部４５Ａは可動部２８１Ａにはまだ接触していない。
【００３２】
このままさらに所定の位置までランプボックス１００Ａの挿入が続くと、シャッター４０Ａはランプボックス１００Ａの側面に沿ってＰ方向への摺動を続け、通風口２６Ａと開口部４３Ａが重なり、また通風口２６Ａがシャッター４０Ａから完全にはみ出して通風口２６Ａが開放される。図７（ｃ）の状態までランプボックス１００Ａを挿入して意匠カバー２１０を図４（ｃ）の場合と同様に筐体２００に固定する。このとき、検出スイッチ２８０Ａの可動部２８１Ａは、凸部４５Ａに当接しており、検出スイッチ２８０Ａはオン状態となっている。検出スイッチ２８０Ａが動作すると、制御回路（図示せず）によって液晶プロジェクタ装置の電源の投入が許可される状態となる。このように、凸部４５Ａを設けるという簡単な構成で確実にシャッター４０Ａの開閉を検出できる。
【００３３】
ランプボックス１００Ａの取り外し動作は、図７に示す動作と全く逆の動作になる。意匠カバー２１０が筐体２００から取り外され、ランプボックス１００Ａが収納部２２０から引き出される。シャッター４０Ａはばね２７Ａによって付勢されているので、ランプボックス１００Ａが引き出されるのにつれて、シャッター４０ＡはＱ方向に摺動して通風口２６Ａを塞ぎ始める。当接部４１Ａと凸部２９０Ａが離間するまでに、シャッター４０Ａのピン４２Ａがガイド穴２９Ａの終端に達して、シャッター４０Ａは完全に通風口２６Ａを塞ぐ。シャッター４０Ａが通風口２６Ａを完全に塞いだ状態で、ランプボックス１００Ａが収納部２２０から取り出される。
【００３４】
図７（ｃ）の状態でメタルハライドランプ２の損傷する可能性が小さいのは、図４（ｃ）の場合と同様である。図７（ａ）の状態でメタルハライドランプ２が損傷しても、シャッター４０Ａが通風口２６Ａを塞いでいる限り、ランプボックス１００Ａの装着や取り外しの段階で通風口２６Ａからメタルハライドランプ２の破片が飛散することは完全に防止される。なお、映像の投射やメタルハライドランプ２の冷却については実施の形態１による液晶プロジェクタ装置と同様であるので、説明を省略する。
【００３５】
実施の形態３．
図８はこの発明の実施の形態３による液晶プロジェクタ装置のランプボックスの一構成を示す斜視図である。実施の形態３のランプボックスと実施の形態１のランプボックスの違いはシャッターの開閉方向にある。実施の形態１によるランプボックスでは図６のＸＹ方向にシャッターが摺動したのに対し、実施の形態３によるランプボックスでは図８のＲＳ方向にシャッターが摺動しつつ正逆方向に円運動する。装着および取り外す時にランプボックスが移動する方向とシャッターが摺動する方向を異ならせることによって、装着の途中でシャッターが誤って通風口を開放する可能性を小さくすることができるのは、実施の形態２と同様である。
【００３６】
ランプボックス１００Ｂは、メタルハライドランプ２と箱２０Ｂとシャッター４０Ｂとを備えて構成される。ランプボックス１００Ｂは、メタルハライドランプ２の光を集光するためのリフレクタも備えているが、図８にはリフレクタは表されていない。図８に示すように、ランプボックス１００Ｂの箱２０Ｂは、その側面の一部を扇形に切り取られて形成された通風口２６Ｂを有している。シャッター４０Ｂは、箱２０Ｂの左右側面（図８のランプボックス１００Ｂの手前側と奥側）に設けられており、通風口２６Ｂと同様の扇形をしている。ランプボックス１００Ｂの装着および取り外しの時にシャッター４０Ｂが行う動作はＳＲ方向の回転運動を伴う摺動である。実施の形態１のシャッター４０と同様にピン４２Ｂによって摺動に限定される。つまり、４０Ｂはピン４２Ｂによって箱２０Ｂに沿って正逆方向に円運動できるように軸支されている。フック２８Ｂは例えば箱２０Ｂの左右側面に固定され、ばね２７Ｂはフック２８Ｂと当接部４１Ｂとの間に架張される。また、当接部４１Ｂは、ランプボックス１００ＢがＸＹ方向への動きをシャッター４０ＢのＲＳ方向への動力に変換するために、筐体２００Ｂの一部に当接することになる。
【００３７】
次にシャッター４０Ｂの動作を図９に基づいて説明する。ランプボックス１００Ｂが筐体２００に装着されるときには、図９（ａ）に示すように、ランプボックス１００ＢはＹ方向へ向かって収納部２２０に挿入される。このとき、シャッター４０Ｂはばね２７Ｂによって付勢されており、通風口２６Ｂはシャッター４０Ｂで塞がれている。この状態で図６に示しているメタルハライドランプ２がランプボックス１００Ｂの中で損傷しても、メタルハライドランプ２の破片はシャッター４０Ｂで遮られ、メタルハライドランプ２の破片がランプボックス１００Ｂの通風口２６Ｂを通って外部へ飛散することはない。ランプボックス１００Ｂの内部からランプボックス１００Ｂの外部に向かう力がシャッター４０Ｂに加わっても、シャッター４０Ｂは箱２０Ｂの側面から離れないようにピン４２Ｂによって箱２０Ｂにつなぎ止められる。ピン４２Ｂはシャッター４０Ｂを回転させるが、箱２０Ｂの側面に垂直な方向へはシャッター４０Ｂを移動させない構造になっている。箱２０Ｂの前面にはガラス２５がはめ込まれているため、箱２０Ｂの前面にメタルハライドランプ２の破片が飛散することはない。このとき、筐体２００の側にある検出スイッチ２８０Ｂの可動部２８１Ｂには、何も接触しておらず、検出スイッチ２８０はオフ状態になっている。また、筐体２００から突出している凸部２９０Ｂもランプボックス１００Ｂには接触していない。
【００３８】
ランプボックス１００Ｂの収納部２２０への装着が開始されると、この装着の動作の途中でシャッター４０Ｂの当接部４１Ｂが凸部２９０Ｂに当接する。このまま、ランプボックス１００ＢがＹ方向へ押し下げられると、当接部４１Ｂは凸部２９０Ｂによって上に持ち上げられる。シャッター４０Ｂの扇形の部分はピン４２Ｂに対して当接部４１Ｂの反対側にあるため、ばね２７Ｂの付勢力に逆らって箱２０Ｂに対してＳ方向に円運動する（図９（ｂ）参照）。シャッター４０ＢがＳ方向に摺動するため、通風口２６Ｂの位置と開口部４３Ｂの位置がずれることによって、通風口２６Ｂが開放されている。
【００３９】
ランプボックス１００Ｂが所定の位置まで挿入されている図９（ｂ）の状態では、シャッター４０Ｂはランプボックス１００Ｂの側面に沿ってＳ方向への摺動が完了している。装着が完了することによって、シャッター４０Ｂに設けられた凸部４５Ｂが検出スイッチ２８０Ｂの可動部２８１Ｂに当接し、そのため筐体２００に設けられている検出スイッチ２８０Ｂが動作する。この凸部４５Ｂは、扇形をしたシャッター４０の円弧の部分に図面手前に突出するように設けられている。検出スイッチ２８０Ｂが動作すると、制御回路（図示せず）によって液晶プロジェクタ装置の電源の投入が許可される状態となる。通風口２６Ｂとシャッター４０Ｂがずれて２６Ｂが開放される図９（ｂ）の状態で、図４（ｃ）の場合と同様に意匠カバー２１０が筐体２００に固定される。
【００４０】
ランプボックス１００Ｂの取り外し動作は、図９に示す動作とは全く逆の動作になる。意匠カバー２１０が筐体２００から取り外され、ランプボックス１００Ｂが収納部２２０から引き出される。シャッター４０Ｂはばね２７Ｂによって付勢されているので、ランプボックス１００Ｂが引き出されるのにつれて、シャッター４０ＢはＲ方向に摺動して通風口２６Ｂを塞ぎ始める。シャッター４０Ｂのピン４２Ｂが円運動の終端（例えばストッパーを設けておいてそのストッパーに当接する位置など）に達するまでに、当接部４１Ｂと凸部２９０Ｂが離間して、シャッター４０Ｂは完全に通風口２６Ｂを塞ぐ。シャッター４０Ｂが通風口２６Ｂを完全に塞いだ状態で、ランプボックス１００Ｂが収納部２２０から取り出される。
【００４１】
図９（ｂ）の状態でメタルハライドランプ２の損傷する可能性が小さいのは、図４（ｃ）の場合と同様である。図９（ａ）の状態でメタルハライドランプ２が損傷しても、シャッター４０Ｂが通風口２６Ｂを塞いでいる限り、ランプボックス１００Ｂの装着や取り外しの段階で通風口２６Ｂからメタルハライドランプ２の破片が飛散することは完全に防止される。
なお、映像の投射やメタルハライドランプ２の冷却については実施の形態１による液晶プロジェクタ装置と同様であるので、説明を省略する。
【００４２】
実施の形態４．
図１０は、この発明の実施の形態４によるランプボックスの液晶プロジェクタ装置への装着工程を示す工程図である。図１０に示すランプボックス１００Ｃは、図１のメタルハライドランプ２やリフレクタ３（図１０では図示省略）を箱２０Ｃの内部に収納している。箱２０Ｃの左右側面の一部が横長の長方形に切り取られて通風口２６Ｃが形成されている。またランプボックス１００Ｃの左右側面（図１０のランプボックス１００Ｃの手前側と奥側）にシャッター４０Ｃが摺動できるように取り付けられている。シャッター４０Ｃにも通風口２６Ｃと同じ形状の開口部４３Ｃが設けられている。シャッター４０Ｃは箱２０Ｃの側面から離れないようにピン４２Ｃで箱２０Ｃに取り付けられている。箱２０Ｃの一側面の四隅に設けられているガイド穴２９Ｃと、シャッター４０Ｃの四隅に設けられているピン４２Ｃとの関係は、実施の形態１のガイド穴２９とピン４２の関係と同様である。箱２０Ｃの内部側面には、フック２８Ｃが突出している。このフック２８Ｃには、ばね２７Ｃの一端が引っかかっている。ばね２７Ｃの他端はピン４２Ｃに引っかかっており、ばね２７Ｃはフック２８Ｃとピン４２Ｃとの間に架張されている。このばね２７Ｃによって、シャッター４０ＣがＸ方向に付勢されている。
意匠カバー２１６は、筐体２００の収納部２２０の蓋である。意匠カバー２１６には、シャッター４０Ｃを押し下げるための当接部２１５が設けられている。一方、シャッター４０Ｃの上部左隅には、当接部２１５に対応する被当接部４６Ｃが図面手前に向けて突出している。
また、収納部２２０の底面側には、検出スイッチ２８０Ｃが固定されている。検出スイッチ２８０Ｃの可動部２８１Ｃに対応して、シャッター４０Ｃの下部左側には凸部４５Ｃが図面手前に向けて突出している。
【００４３】
図１０（ａ）に示すように、ランプボックス１００Ｃが筐体２００に装着されるときには、ランプボックス１００ＣはＹ方向へ向かって移動して収納部２２０に挿入される。このとき、シャッター４０Ｃはばね２７Ｃによって付勢され、ピン４２Ｃがガイド穴２９Ｃの上端に当たる位置までシャッター４０Ｃが持ち上げられている。そのため、シャッター４０Ｃによって通風口２６Ｃが塞がれており、ランプボックス１００Ｃの中で図１に示すようなメタルハライドランプ２が損傷しても、メタルハライドランプ２の破片が通風口２６Ｃを通ってランプボックス１００Ｃの外部へ飛散することはない。たとえランプボックス１００Ｃの内部から外部へ向かう力がシャッター４０Ｃに加わっても、シャッター４０Ｃが箱２０Ｃの側面から離れないのは実施の形態１のシャッター４０と箱２０の場合と同様である。
なおこのとき、検出スイッチ２８０Ｃの可動部２８１Ｃには、ランプボックス１００Ｃのいずれの部分も接触しておらず、検出スイッチ２８０Ｃはオフ状態になっている。また、意匠カバー２１６から突出している当接部２１５もランプボックス１００Ｃには接触していない。
【００４４】
収納部２２０に対するランプボックス１００Ｃの装着は、ソケット２４０にプラグ５０を挿入して完了する。このときにはまだ、当接部２１５は被当接部４６Ｃに当接しておらず、シャッター４０Ｃがばね２７Ｃによって付勢されているため、シャッター４０ＣはＸ方向に持ち上げられたままになっている。従って、この段階でも、メタルハライドランプ２が破損した場合のメタルハライドランプ２の破片の飛散はシャッター４０Ｃで防止されている。また、収納部２２０に対するランプボックス１００Ｃの装着が完了しても、シャッター４０Ｃの凸部４５Ｃは可動部２８１Ｃに接触しない。そのため、収納部２２０に対するランプボックス１００Ｃの装着が完了した段階でも、液晶プロジェクタ装置は電源の投入が許可されない状態を維持している。
【００４５】
筐体２００に対する意匠カバー２１６の取り付けが始まると、この取り付け動作の途中から意匠カバー２１６の当接部２１５がシャッター４０Ｃの被当接部４６Ｃに接触して被当接部４６Ｃを押し下げ始める。当接部２１５が被当接部４６Ｃを押し下げ、意匠カバー２１６と筐体２００の上面をほぼ同じ高さにして、突起２１２を凹部２０１に差し込む。そして、意匠カバー２１６の右端にあるビス２１３をねじ穴２０２にねじ込んで、意匠カバー２１６を筐体２００に固定する。意匠カバー２１６を筐体２００に固定した状態が、図１０（ｂ）に示されている。このとき、シャッター４０Ｃの被当接部４６Ｃが当接部２１５に当接しており、シャッター４０Ｃは箱２０Ｃに対して相対的に下側へ下がっている。そのため、シャッター４０Ｃの開口部４３Ｃと箱２０Ｃの通風口２６Ｃとが重なり、通風口２６Ｃが開放される。また、シャッター４０Ｃが下に押し下げられることによって、凸部４５Ｃが検出スイッチ２８０Ｃの可動部２８１を下に押し下げる。そのため、検出スイッチ２８０Ｃがオンして制御回路（図示せず）によって液晶プロジェクタ装置の電源の投入が許可される。
【００４６】
なお、ランプボックス１００の取り外し動作は、図１０に示す動作と全く逆の動作になる。まず、意匠カバー２１６が筐体２００から取り外される。意匠カバー２１６を筐体２００から取り外すと、当接部２１５で押し下げられていたシャッター４０Ｃがばね２７Ｃの付勢力によってＸ方向に摺動する。シャッター４０Ｃの摺動によって、通風口２６Ｃがシャッター４０Ｃに塞がれるとともに検出スイッチ２８０Ｃがオフする。その後にランプボックス１００Ｃを収納部２２０から引き抜くため、ランプボックス１００Ｃは、シャッター４０Ｃで通風口２６Ｃが塞がれた状態で収納部２２０から取り出される。
【００４７】
図１０（ｂ）の状態でメタルハライドランプ２の損傷する可能性が小さいのは、図４（ｃ）の場合と同様である。図１０（ａ）の状態でメタルハライドランプ２が損傷しても、シャッター４０Ｃが通風口２６Ｃを塞いでいる限り、ランプボックス１００Ｃの装着や取り外しの段階で通風口２６Ｃからメタルハライドランプ２の破片が飛散することは完全に防止される。なお、映像の投射やメタルハライドランプ２の冷却については実施の形態１による液晶プロジェクタ装置と同様であるので説明を省略する。
【００４８】
実施の形態５．
図１１は、この発明の実施の形態５によるランプボックスの装着工程を示す工程図である。図１１に示す工程を経て、ランプボックス１００Ｄが液晶プロジェクタ装置の筐体２００に装着される。図１１に示すランプボックス１００Ｄは、図１のメタルハライドランプ２やリフレクタ３（図１０では図示省略）を箱２０Ｄの内部に収納している。箱２０Ｄは、その左右側面の一部を縦長の長方形に切り取って形成された通風口２６Ｄを有している。また、箱２０Ｄの表面に沿って摺動できるシャッター４０Ｄが、ランプボックス１００Ｄの左右側面（図１１のランプボックス１００Ｄの手前側と奥側）に取り付けられている。シャッター４０Ｄにも、通風口２６Ｄと同じ形状の開口部４３Ｄが設けられている。シャッター４０Ｄは、箱２０Ｄの側面から離れないようにピン４２Ｄで箱２０Ｄに取り付けられている。シャッター４０Ｄが箱２０Ｄの側面から離れないようにするために、ガイド穴２９Ｄとピン４２Ｄとが有する関係は、実施の形態１のガイド穴２９とピン４２の関係と同様である。箱２０Ｄの内部側面に突出しているフック２８Ｄには、ばね２７Ｄの一端が引っかけられている。ばね２７Ｄの他端は、ピン４２Ｄに引っかかっており、ばね２７Ｄはフック２８Ｄとピン４２Ｄとの間に架張されている。このばね２７Ｄによって、シャッター４０ＤがＱ方向に付勢されている。図１１に示す意匠カバー２１６は、図１０に示されている意匠カバー２１６と同じ構成を有している。図面手前に向けて突出している被当接部４６Ｄは、意匠カバー２１６の当接部２１５に対応してシャッター４０Ｄの上部左隅に設けられている。また、検出スイッチ２８０Ｄは、収納部２２０のＰ方向にある側面に固定されている。検出スイッチ２８０Ｄの可動部２８１ＤがＱ方向を向けて張り出しており、シャッター４０Ｄの下部右隅には、図面手前に向けて突出している凸部４５Ｄが、この可動部２８１Ｄに対応して設けられている。
【００４９】
実施の形態４によるランプボックス１００Ｃと実施の形態５によるランプボックス１００Ｄとは、意匠カバー２１６の当接部２１５によって被当接部４６Ｃや４６Ｄが押されてシャッター４０Ｃやシャッター４０Ｄが摺動させられる点については同じである。しかし、筐体２００への装着や筐体２００からの取り外し時に、ランプボックス１００Ｃではシャッター４０ＣがＸＹ方向に摺動するのに対し、ランプボックス１００Ｄではシャッター４０ＤがＰＱ方向に摺動する点が異なっている。そのため、１００Ｄは、Ｘ方向に移動して筐体２００から取り外される際に、シャッター４０Ｄが筐体２００に引っかかるなどしてＹ方向に摺動する可能性を小さくすることができる。
【００５０】
その他、シャッター４０Ｄを有する実施の形態５によるランプボックスが奏する効果は、シャッター４０Ｃを有する実施の形態４によるランプボックスが奏する効果と同様であり、また、検出スイッチ２８０Ｄを有する実施の形態５による液晶プロジェクタ装置が奏する効果は、検出スイッチ２８０Ｃを有する実施の形態４による液晶プロジェクタ装置が奏する効果と同様である。
【００５１】
実施の形態６．
図１２は、この発明の実施の形態６によるランプボックスの装着工程を示す工程図である。図１２に示す工程を経て、ランプボックス１００Ｅが液晶プロジェクタ装置の筐体２００に装着される。図１２に示すランプボックス１００Ｅは、図１に示すメタルハライドランプ２やリフレクタ３（図１２では図示省略している。）を箱２０Ｅの内部に収納している。箱２０Ｅは、その左右両側の一部を扇形に切り取って形成された通風口２６Ｄを有している。また、箱２０Ｅの表面に沿って摺動するシャッター４０Ｅが、ランプボックス１００Ｅの左右側面（図１２のランプボックス１００Ｅの手前側と奥側）に取り付けられている。シャッター４０Ｅは、通風口２６Ｅの開閉を効率よく行うために、通風口２６Ｅと同じ形状をしている。シャッター４０Ｅは、箱２０Ｅの側面から離れないようにシャッター４０Ｅにピン４２Ｅで取り付けられている。シャッター４０Ｅが箱２０Ｅから離れないようにするために、ピン４２Ｅは図面と垂直な方向に作用する力によっては抜けないように構成されている。箱２０Ｅの外部側面に突き出しているフック２８Ｅには、ばね２７Ｅの一端が当接している。ばね２７Ｅは、ピン４２を支点として凸部４８に他端を当接している。ばね２７Ｅはシャッター４０ＥをＳ方向に付勢している。ただし、シャッター４０Ｅは、例えば図面の手前の側面の場合には、箱２０Ｅの側面のＹ方向の左隅に設けられたストッパー３０によって止まっている。箱２０Ｅよりも図面の左側にはみ出している被当接部４６Ｅが、意匠カバー２１６の当接部２１５によって押されて、シャッター４０Ｅが箱２０の表面に沿って摺動しつつＲ方向に円運動する。検出スイッチ２８０Ｅは、収納部２２０の右側面の上方に固定されている。検出スイッチ２８０Ｅの可動部２８１Ｅが左側に向けて張り出しており、シャッター４０Ｅの扇の弧の部分におけるＲ方向の隅には、図面手前に向けて突出している凸部４５Ｅが、この可動部２８１Ｅに対応して設けられている。そのため、シャッター４０ＥがＲ方向に移動して通風口２６Ｅが開ききったところで、可動部２８１Ｅに凸部４５Ｅが接触して検出スイッチ２８０がオンする。
【００５２】
実施の形態４によるランプボックス１００Ｃと実施の形態６によるランプボックス１００Ｅとは、意匠カバー２１６の当接部２１５によって被当接部４６Ｃや４６Ｅが押されてシャッター４０Ｃやシャッター４０Ｅが摺動させられる点については同じである。しかし、筐体２００への装着や筐体２００からの取り外し時に、ランプボックス１００Ｃではシャッター４０ＣがＸＹ方向に摺動するのに対し、ランプボックス１００Ｄではシャッター４０ＤがＲＳ方向に摺動する点が異なっている。そのため、１００Ｅは、Ｘ方向に移動して筐体２００から取り外される際に、シャッター４０Ｅが筐体２００に引っかかるなどしてＹ方向に摺動する可能性を小さくすることができる。
ただし、その他、シャッター４０Ｅを有する実施の形態６によるランプボックスが奏する効果は、シャッター４０Ｃを有する実施の形態４によるランプボックスが奏する効果と同様であり、また、検出スイッチ２８０Ｅを有する実施の形態６による液晶プロジェクタ装置が奏する効果は、検出スイッチ２８０Ｃを有する実施の形態４による液晶プロジェクタ装置が奏する効果と同様である。
【００５３】
ところで、上記各実施の形態では、シャッターをランプボックスの２つの対向する面に設けているが、これに限らず１面でも、或いはさらに多くの面に設けてもよいことはいうまでもない。
なお、上記実施の形態を組み合わせてもよく、その場合でも上記実施の形態が奏するのと同じ効果を奏する。例えば、図１３に示すように、異なる実施の形態で説明した機構で摺動する複数枚のシャッター４０，４０Ｄを重ねて通風口２６Ｆを塞ぐために設けても組み合わせる各実施の形態と同様の効果を奏する。さらにこの場合には、２つの方向から別々の力をシャッター４０，４０Ｄに加えなければならず、ランプボックスが装着されていないときに通風口２６Ｆが開放されることを防ぐことについての確実性が向上する。また、図１４に示すように、異なる実施の形態で説明した機構の摺動動作を組み合わせたような動作を行うシャッター４０Ｇで、通風口２６Ｇを塞いでもよい。シャッター４０Ｇは、凸部２９０Ｇから当接部４１Ｇが受ける力と、当接部２１５から当接部４１Ｄが受ける力によって順次異なる方向に摺動するため、ランプボックスが装着されていないときに通風口２６Ｇが開放されるのを防ぐことについての確実性が向上する。
【００５４】
また、上記各実施の形態では、付勢手段としてばね２７〜２７Ｇに限定して説明したが、磁石の反発力などの他の付勢手段を用いてもよく上記実施の形態と同様の効果を奏する。
また、シャッター４０〜４０Ｇが収納部２２０の一部または意匠カバー２１６の当接部２１５に直接当接することによって開閉する構成について説明したが、シャッター４０等を摺動させるための構成は、例えばリンク機構を用いてシャッター４０〜４０Ｇ以外の部分が収納部２２０の一部等と当接してそこから間接的に力が加えられてもよく、そのような構成にしても上記実施の形態と同様の効果を奏する。
また、シャッター４０〜４０Ｇと収納部２２０の一部等の当接によって生じる力以外の力を箱２０〜２０Ｇの内部で発生させるようにしてもよく、例えばアクチュエータを箱２０〜２０Ｇの内部に設けて、箱２０〜２０Ｇが収納部２２０に装着されている状態を検出して動作させるようにしてもよく、装着時にシャッター４０〜４０Ｇが通風口２６〜通風口２６Ｇを開放し、取り外されているときに塞ぐような力を発生するものであれば、上記実施の形態と同様の効果を奏する。
【００５５】
【発明の効果】
以上説明したように、請求項１に記載のランプボックスまたは請求項５に記載のプロジェクタ装置によれば、ランプボックスをプロジェクタ装置から取り外しているときに万一ランプが損傷しても、シャッターによって通風口が蓋されているので、ランプの破片が通風口を通り抜けて箱の外に飛び出すことを防止することができるという効果がある。
【００５６】
請求項２に記載のランプボックスまたは請求項６に記載のプロジェクタ装置によれば、筐体とシャッターとの当接、すなわち筐体にランプボックスが装着されることによってシャッターを通風口を開放する向きに動かすことができ、付勢手段によって筐体とシャッターとの当接が解かれたとき、すなわち筐体からランプボックスが取り外されることによってシャッターを通風口がふさがる向きに摺動させることができ、簡単な構成で確実にシャッターの開閉を行わせることができるという効果がある。
【００５７】
請求項３あるいは請求項４に記載のランプボックスまたは請求項７あるいは請求項８に記載のプロジェクタ装置によれば、ランプボックスの装着や取り外しのためにランプボックスが移動する向きとシャッターの摺動方向とを異ならせているので、不必要なときにシャッターが開放される可能性を小さくでき、ランプの破片が箱の外に飛び出すことを防止する効果を高めることができる。
【図面の簡単な説明】
【図１】  実施の形態１によるランプボックスの立体分解図である。
【図２】  図１のランプボックスと筐体と意匠カバーの関係を示す部分切取斜視図である。
【図３】  図１のランプボックスと検出スイッチの関係を示す詳細断面図である。
【図４】  図１のランプボックスの筐体への装着工程を示す工程図である。
【図５】  図１のランプボックスの断面図である。
【図６】  実施の形態２によるランプボックスの斜視図である。
【図７】  図６のランプボックスの筐体への装着工程を示す工程図である。
【図８】  実施の形態３によるラップボックスの斜視図である。
【図９】  図８のランプボックスの筐体への装着工程を示す工程図である。
【図１０】  実施の形態４によるランプボックスの筐体への装着工程を示す工程図である。
【図１１】  実施の形態５によるランプボックスの筐体への装着工程を示す工程図である。
【図１２】  実施の形態６によるランプボックスの筐体への装着工程を示す工程図である。
【図１３】  筐体に装着されているランプボックスの側面の一例を示す図である。
【図１４】  筐体に装着されているランプボックスの側面の他の例を示す図である。
【図１５】  従来のランプボックスを筐体から取り外す工程を示す工程図である。
【図１６】  従来のプロジェクタ装置の構成を示す略断面図である。
【符号の説明】
２  メタルハライドランプ、２０  箱、２６  通風口、２７，２７Ａ〜２７Ｇばね、４０，４０Ａ〜４０Ｇ  シャッター、４１，４１Ａ〜４１Ｇ  当接部、４６Ｃ〜４６Ｅ  被当接部、５０  プラグ、２００  筐体、２１０，２１６  意匠カバー、２１５  当接部、２２０  格納部、２４０  ソケット、２７０  冷却ファン、２８０，２８０Ａ〜２８０Ｇ  スイッチ、２９０，２９０Ａ〜２９０Ｇ凸部。
【図１】
0003841950.tif 000002
【図２】
0003841950.tif 000003
【図３】
0003841950.tif 000004
【図４】
0003841950.tif 000005
【図５】
0003841950.tif 000006
【図６】
0003841950.tif 000007
【図７】
0003841950.tif 000008
【図８】
0003841950.tif 000009
【図９】
0003841950.tif 000010
【図１０】
0003841950.tif 000011
【図１１】
0003841950.tif 000012
【図１２】
0003841950.tif 000013
【図１３】
0003841950.tif 000014
【図１４】
0003841950.tif 000015
【図１５】
0003841950.tif 000016
【図１６】
0003841950.tif 000017